(57)【要約】【課題】ビデオカセットの所定位置到達時点の検知に用いられる発光部に対しての電力消費を簡単に低減できるビデオカセットレコーダを提供する。【解決手段】挿入口４にはビデオカセット１の挿入に従って上縁部を支軸に内側に回動して開く扉５が設けられ、この扉５の開きに従って扉５の内面で押下されて反応するスイッチ１０が設けられている。プッシュスイッチ１０の反応に応じて発光部７への電力供給が開始される。【選択図】図１
2007265485.tif 000002
【特許請求の範囲】
【請求項１】
挿入口から挿入されたビデオカセットを受け入れ、所定位置まで押し込まれた前記ビデオカセットをローディング位置まで搬送するカセットトレイと、
光を出射する赤外発光ダイオードと、
この赤外発光ダイオードからの光に反応する光センサと、
前記赤外発光ダイオードから前記光センサへの光路上で前記カセットトレイに連動してスライド移動するスリット板と、備え、
前記カセットトレイと共に前記ビデオカセットが前記所定位置まで押し込まれたとき、前記赤外発光ダイオードからの光が前記スリット板に遮られて前記光センサが反応し、この反応に応じて前記カセットトレイの搬送駆動が開始されるとともに、
前記ビデオカセットが前記ローディング位置にある状態では、前記ビデオカセットの磁気テープが前記光路上に導かれており、前記磁気テープの端部が前記光路上に至ったとき、前記赤外発光ダイオードからの光が前記磁気テープの端部と前記スリット板を通過して前記光センサが反応し、この反応に応じて前記磁気テープが始端又は終端に至ったことが検知されるビデオカセットレコーダにおいて、
前記挿入口には前記ビデオカセットの挿入に従って上縁部を支軸に内側に回動して開く扉が設けられ、この扉の開きに従って前記扉の内面で押下されて反応するプッシュスイッチが設けられていて、
このプッシュスイッチの反応に応じて前記赤外発光ダイオードへの電力供給が開始されることを特徴とするビデオカセットレコーダ。
【請求項２】
挿入口から挿入されたビデオカセットを受け入れ、所定位置まで押し込まれた前記ビデオカセットをローディング位置まで搬送するカセットトレイと、
光を出射する発光部と、
この発光部からの光に反応する光センサと、
前記発光部から前記光センサへの光路上で前記カセットトレイに連動してスライド移動するスリット板と、備え、
前記カセットトレイと共に前記ビデオカセットが前記所定位置まで押し込まれたとき、前記発光部からの光が前記スリット板に遮られて前記光センサが反応し、この反応に応じて前記カセットトレイの搬送駆動が開始されるビデオカセットレコーダにおいて、
前記挿入口には前記ビデオカセットの挿入に従って開く扉が設けられ、この扉の開きに従って反応するスイッチが設けられていて、
このスイッチの反応に応じて前記発光部への電力供給が開始されることを特徴とするビデオカセットレコーダ。
【請求項３】
前記扉は、上縁部を支軸に内側に回動して開き、
前記スイッチは、開いた前記扉の内面で押下されて反応するプッシュスイッチであることを特徴とする請求項２に記載のビデオカセットレコーダ。
【請求項４】
前記ビデオカセットが前記ローディング位置にある状態では、前記ビデオカセットの磁気テープが前記光路上に導かれており、前記磁気テープの端部が前記光路上に至ったとき、前記発光部からの光が前記磁気テープの端部と前記スリット板を通過して前記光センサが反応し、この反応に応じて前記磁気テープが始端又は終端に至ったことが検知されることを特徴とする請求項２又は３に記載のビデオカセットレコーダ。
【請求項５】
前記発光部が赤外発光ダイオードであることを特徴とする請求項２から４のいずれかに記載のビデオカセットレコーダ。
【発明の詳細な説明】
【技術分野】
【０００１】
本発明は、ビデオカセットに収納されている磁気テープに対して画像情報及び音声情報を磁気的に記録・再生するビデオカセットレコーダに関する。
【背景技術】
【０００２】
一般に、ビデオカセットレコーダ（以下、「ＶＣＲ」と記すことがある）においては、図４に示すように、ビデオカセット１がＶＣＲ本体内部のローディング位置に装着され、そのビデオカセット１より磁気テープ２が引き出されて回転磁気ヘッド３に巻き付けられる。そして、回転する回転磁気ヘッド３上を磁気テープ２が走行することにより、磁気テープ２に対し回転磁気ヘッド３によって画像情報及び音声情報の読み書きがなされ、記録・再生が行われる。その際、磁気テープ２の走行を制御するために、磁気テープ２が始端又は終端に至ったことが検知されるようになっている。その磁気テープ２の始端・終端の検知手法については後述する。
【０００３】
一方、ビデオカセット１はＶＣＲ本体の外部から挿入されてＶＣＲ本体内部のローディング位置まで搬送される。具体的には、図５に示すように、ＶＣＲ本体の正面には、横長で矩形の挿入口４が形成されていて、この挿入口４からビデオカセット１が挿入される（図５（ａ）、（ｂ）参照）。ここでの挿入口４には、内側からその挿入口４を閉ざす矩形で板状の扉５が設けられているが、この扉５は、上縁部を支軸に回動可能に支持されており、挿入されたビデオカセット１に押されて内側に回動して開く（図５（ｂ）参照）。
【０００４】
ＶＣＲ本体内部には、ビデオカセット１を受け入れて所定の経路でローディング位置まで搬送するカセットトレイ６が設けられていて、挿入口４から挿入されたビデオカセット１は、カセットトレイ６に受け入れられる（図５（ｃ）参照）。そのままビデオカセット１がカセットトレイ６と共に押し込まれて所定位置まで到達すると、カセットトレイ６自身の搬送駆動が開始される（図５（ｄ）参照）。そして、カセットトレイ６自身の搬送駆動により、ビデオカセット１がカセットトレイ６と共にローディング位置まで搬送される（図５（ｅ）参照）。
【０００５】
その際、図５（ｄ）に示すように、ビデオカセット１が押し込まれて所定位置まで到達した時点で、カセットトレイ６自身の搬送駆動が開始されるわけであるが、そのビデオカセット１の所定位置到達時点の検知は、次のようにして行われる。ＶＣＲ本体内部には、発光部７が設けられていて（図４参照）、この発光部７からは左右それぞれに向けて光が出射される（図４中の破線参照）。更に、発光部７から左右それぞれに向けて出射される光の光路上に、それぞれの光を受光する第１の光センサ８Ａ、第２の光センサ８Ｂが設けられている。
【０００６】
また、第１の光センサ８Ａの発光部７側の近傍には、前後方向に延在する第１のスリット板９Ａが設けられている。同様に、第２の光センサ８Ｂの発光部７側の近傍には、第２のスリット板９Ｂが設けられている。これらの第１のスリット板９Ａ、第２のスリット板９Ｂは、いずれもリンク機構を介してカセットトレイ６に連結されており、カセットトレイ６に連動して前後方向にスライド移動するようになっている。ここでの第１のスリット板９Ａには、前後２個所に第１の貫通穴９Ａａ、第２の貫通穴９Ａｂが形成されている。同様に、第２のスリット板９Ｂには、第１の貫通穴９Ｂａ、第２の貫通穴９Ｂｂが形成されている。
【０００７】
このような構成のもと、カセットトレイ６が挿入口４付近にある状態、すなわち、ビデオカセット１がまだ挿入されていなかったり、挿入された直後であったりする状態では、図５（ａ）〜（ｃ）に示すように、発光部７からの光が、第１のスリット板９Ａにおける第１の貫通穴９Ａａを通過して第１の光センサ８Ａに達する。同様に、第２のスリット板９Ｂにおける第１の貫通穴９Ｂａを通過して第２の光センサ８Ｂに達する。
【０００８】
この状態から、挿入されたビデオカセット１がカセットトレイ６と共に押し込まれると、これに連動して第１のスリット板９Ａ、第２のスリット板９Ｂがスライド移動していき、図５（ｄ）に示すように、ビデオカセット１が所定位置まで到達した時点で、第１のスリット板９Ａにおける第１の貫通穴９Ａａが発光部７からの光の光路上より外れ、発光部７からの光は、第１のスリット板９Ａに遮られて第１の光センサ８Ａに達しなくなる。同様に、第２のスリット板９Ｂにおける第１の貫通穴９Ｂａが発光部７からの光の光路上より外れ、発光部７からの光は、第２のスリット板９Ｂに遮られて第２の光センサ８Ｂに達しなくなる。第１の光センサ８Ａ、第２の光センサ８Ｂは、このような発光部７からの光が達しなくなる時点で反応し、これにより、ビデオカセット１の所定位置到達時点が検知される。そして、その第１の光センサ８Ａ、第２の光センサ８Ｂの反応による出力に応じて、カセットトレイ６自身の搬送駆動が開始される。
【０００９】
なお、その後、カセットトレイ６自身の搬送駆動により、ビデオカセット１がカセットトレイ６と共にローディング位置まで搬送されると、図５（ｅ）に示すように、第１のスリット板９Ａにおける第２の貫通穴９Ａｂが発光部７からの光の光路上に現れ、発光部７からの光は、その第２の貫通穴９Ａｂを通過して第１の光センサ８Ａに達する。同様に、第２のスリット板９Ｂにおける第２の貫通穴９Ｂｂが発光部７からの光の光路上に現れ、発光部７からの光は、その第２の貫通穴９Ｂｂを通過して第２の光センサ８Ｂに達する。第１の光センサ８Ａ、第２の光センサ８Ｂは、このような発光部７からの光が再び達する時点で反応し、これにより、ビデオカセット１のローディング位置到達時点が検知される。そして、その第１の光センサ８Ａ、第２の光センサ８Ｂの反応による出力に応じて、カセットトレイ６自身の搬送駆動が終了される。
【００１０】
更に、ビデオカセット１がローディング位置にある状態では、図４に示すように、ビデオカセット１より引き出された磁気テープ２は、発光部７から第１の光センサ８Ａ、第２の光センサ８Ｂそれぞれへの光路上に導かれている。ここで、記録・再生中、磁気テープ２が走行して、いずれの光路上にも磁気テープ２における磁性体を塗布された部分があるときには、発光部７からの光は、その磁性体部分に遮られて第１の光センサ８Ａ、第２の光センサ８Ｂに達しない。いずれか一方の光路上に磁気テープ２における磁性体塗布のない半透明な端部が至ると、例えば第１の光センサ８Ａへの光路上に磁気テープ２の始端部が至ると、発光部７からの光は、その磁気テープ２の始端部を透過するとともに、第１のスリット板９Ａにおける第２の貫通穴９Ａｂを通過して第１の光センサ８Ａに達し、第１の光センサ８Ａが反応する。逆に第２の光センサ８Ｂへの光路上に磁気テープ２の終端部が至ると、発光部７からの光は、その磁気テープ２の終端部を透過するとともに、第２のスリット板９Ｂにおける第２の貫通穴９Ｂｂを通過して第２の光センサ８Ｂに達し、第２の光センサ８Ｂが反応する。こうして、第１の光センサ８Ａ、第２の光センサ８Ｂのいずれかが反応することにより、磁気テープ２が始端又は終端に至ったことが検知される。
【００１１】
ところで、このようなＶＣＲでは、ビデオカセット１が装着されていない待機時であっても、発光部７には常時電力が供給され、発光部７からは常時光が出射している。挿入口４からビデオカセット１が挿入されて所定位置まで押し込まれたときに、カセットトレイ６自身の搬送駆動を開始させるべく、そのビデオカセット１の所定位置到達時点を検知するためである。そのため、不必要に電力が消費されてしまう。その上、発光部７には常時電気的な負荷がかかり、発光部７の寿命も低下してしまう。
【００１２】
このような問題に対して、特許文献１に開示されている従来のＶＣＲにおいては、ビデオカセット１の所定位置到達時点の検知の際すなわち待機時では、発光部７に、磁気テープ２の始端・終端の検知の際すなわちローディング時よりも低い電力を供給するようにしている。この従来のＶＣＲによれば、待機時に発光部７に供給される電力が低減される。
【００１３】
また、特許文献２に開示されている従来の別のＶＣＲにおいては、ビデオカセット１の所定位置到達時点の検知について、発光部７と第１の光センサ８Ａ、第２の光センサ８Ｂとによる検知に代えて、カセットトレイ６を駆動させるドライブギアに突起部を設けるとともに、ビデオカセット１がカセットトレイ６と共に所定位置まで押し込まれたときその突起に反応するスイッチを設けている。そのスイッチが反応すると、カセットトレイ６自身の搬送駆動が開始され、これと合わせて、ローディング位置での磁気テープ２の始端・終端の検知に用いられる発光部７への電力供給が開始される。この従来の別のＶＣＲによれば、待機時に発光部７に供給される電力が削減される。
【特許文献１】特開２０００−９０５２４号公報
【特許文献２】特開平１１−２９６９３２号公報
【発明の開示】
【発明が解決しようとする課題】
【００１４】
しかし、上記した従来のＶＣＲでは、電力消費の低減が期待できるものの、待機時に発光部７に供給される電力は少なからずある。また、上記した従来の別のＶＣＲでは、電力消費の低減が期待できるものの、カセットトレイ６を駆動させる部品に特殊な工夫を施す必要があり、構成が複雑になる。
【００１５】
そこで本発明は、上記の問題に鑑みてなされたものであり、ビデオカセットの所定位置到達時点の検知に用いられる発光部に対しての電力消費を簡単に低減できるビデオカセットレコーダを提供することを目的とするものである。
【課題を解決するための手段】
【００１６】
上記目的を達成するため、本発明によるビデオカセットレコーダは、挿入口から挿入されたビデオカセットを受け入れ、所定位置まで押し込まれた前記ビデオカセットをローディング位置まで搬送するカセットトレイと、光を出射する赤外発光ダイオードと、この赤外発光ダイオードからの光に反応する光センサと、前記赤外発光ダイオードから前記光センサへの光路上で前記カセットトレイに連動してスライド移動するスリット板と、備え、前記カセットトレイと共に前記ビデオカセットが前記所定位置まで押し込まれたとき、前記赤外発光ダイオードからの光が前記スリット板に遮られて前記光センサが反応し、この反応に応じて前記カセットトレイの搬送駆動が開始されるとともに、前記ビデオカセットが前記ローディング位置にある状態では、前記ビデオカセットの磁気テープが前記光路上に導かれており、前記磁気テープの端部が前記光路上に至ったとき、前記赤外発光ダイオードからの光が前記磁気テープの端部と前記スリット板を通過して前記光センサが反応し、この反応に応じて前記磁気テープが始端又は終端に至ったことが検知されるビデオカセットレコーダにおいて、次の点を特徴とする。前記挿入口には前記ビデオカセットの挿入に従って上縁部を支軸に内側に回動して開く扉が設けられ、この扉の開きに従って前記扉の内面で押下されて反応するプッシュスイッチが設けられていて、このプッシュスイッチの反応に応じて前記赤外発光ダイオードへの電力供給が開始される。
【００１７】
このような構成にすれば、ビデオカセットの所定位置到達時点の検知に用いられる赤外発光ダイオードには、待機時に電力が供給されず、消費電力を低減できる。しかも、これは、挿入口へのビデオカセットの挿入に伴う扉の開きに反応するプッシュスイッチを設けることで簡単に実現できる。
【００１８】
また、上記目的を達成するための本発明によるビデオカセットレコーダは、挿入口から挿入されたビデオカセットを受け入れ、所定位置まで押し込まれた前記ビデオカセットをローディング位置まで搬送するカセットトレイと、光を出射する発光部と、この発光部からの光に反応する光センサと、前記発光部から前記光センサへの光路上で前記カセットトレイに連動してスライド移動するスリット板と、備え、前記カセットトレイと共に前記ビデオカセットが前記所定位置まで押し込まれたとき、前記発光部からの光が前記スリット板に遮られて前記光センサが反応し、この反応に応じて前記カセットトレイの搬送駆動が開始されるビデオカセットレコーダにおいて、前記挿入口には前記ビデオカセットの挿入に従って開く扉が設けられ、この扉の開きに従って反応するスイッチが設けられていて、このスイッチの反応に応じて前記発光部への電力供給が開始される。
【００１９】
このような構成にすれば、ビデオカセットの所定位置到達時点の検知に用いられる発光部には、待機時に電力が供給されず、消費電力を低減できる。しかも、これは、挿入口へのビデオカセットの挿入に伴う扉の開きに反応するスイッチを設けることで簡単に実現できる。
【００２０】
ここで実用的には、前記扉は、上縁部を支軸に内側に回動して開き、前記スイッチは、開いた前記扉の内面で押下されて反応するプッシュスイッチであることが好ましい。
【００２１】
また、前記ビデオカセットが前記ローディング位置にある状態では、前記ビデオカセットの磁気テープが前記光路上に導かれており、前記磁気テープの端部が前記光路上に至ったとき、前記発光部からの光が前記磁気テープの端部と前記スリット板を通過して前記光センサが反応し、この反応に応じて前記磁気テープが始端又は終端に至ったことが検知されることが好ましい。
【００２２】
また、前記発光部が赤外発光ダイオードであることが好ましい。
【発明の効果】
【００２３】
本発明のビデオカセットレコーダによれば、ビデオカセットの所定位置到達時点の検知に用いられる発光部に対しての電力消費を簡単に低減できる。
【発明を実施するための最良の形態】
【００２４】
以下に、本発明のＶＣＲの一実施形態について図面を参照しながら詳述する。図１は本発明の一実施形態であるＶＣＲの要部を拡大して示す透視側面図、図２はそのＶＣＲでのビデオカセットの装着動作を示す透視側面図、図３はそのＶＣＲでのビデオカセットの装着動作を示すフローチャートである。なお、これらの図中で図４、図５と同じ名称で同じ機能を果たす部分には同一の符号を付し、重複する説明は適宜省略する。
【００２５】
本実施形態のＶＣＲでは、従来一般のＶＣＲと同様、ビデオカセット１の所定位置到達時点の検知、及び、ローディング位置での磁気テープ２の始端・終端の検知のために、発光部７と、第１の光センサ８Ａ、第２の光センサ８Ｂと、第１のスリット板９Ａ（第１の貫通穴９Ａａ、第２の貫通穴９Ａｂを含む）、第２のスリット板９Ｂ（第１の貫通穴９Ｂａ、第２の貫通穴９Ｂｂを含む）と、を備える。発光部７としては、赤外発光ダイオードやレーザダイオード等が例示され、特に、消費電力を抑える観点からは赤外発光ダイオードが好適である。第１の光センサ８Ａ、第２の光センサ８Ｂとしては、フォトトランジスタ等が例示される。
【００２６】
また、図１、図２に示すように、ビデオカセット１が挿入される挿入口４に、内側からその挿入口４を閉ざす矩形で板状の扉５が設けられている。この扉５は、上縁部を支軸に回動可能に支持されており、挿入されたビデオカセット１に押されて内側に回動して開くようになっている。
【００２７】
ここで、ＶＣＲ本体内部には、扉５の支軸に隣接してスイッチ１０が設けられている。このスイッチ１０は、ビデオカセット１が挿入口４に挿入されたことを検知するためのものであって、ビデオカセット１の挿入に伴う扉５の開きに従って反応する。具体的には、ここでのスイッチ１０としてはプッシュスイッチが採用されていて、このスイッチ１０は、ビデオカセット１の挿入に伴って開いた扉５の内面で押下されて電気的に導通することで反応する。
【００２８】
このようなＶＣＲでのビデオカセット１の装着動作について、図２、図３を参照しながら説明する。図２（ａ）に示すように、ビデオカセット１が装着されていない待機時では、発光部７への電力供給が停止されており、発光部７からは光が出射していない。ここでは、発光部７から第１の光センサ８Ａ、第２の光センサ８Ｂへの光路上には、それぞれ、第１のスリット板９Ａにおける第１の貫通穴９Ａａ、第２のスリット板９Ｂにおける第１の貫通穴９Ｂａが位置している。
【００２９】
次に、図２（ｂ）に示すように、挿入口４からビデオカセット１が挿入されると（図３のステップ＃５）、ビデオカセット１の挿入に伴って開いた扉５の内面でスイッチ１０が押下されて反応し、ビデオカセット１の挿入を検知する（図３のステップ＃１０）。このスイッチ１０の反応に応じて、発光部７への電力供給が開始され、発光部７からの光の出射が始まる（図３のステップ＃１５）。これで、発光部７からの光が、第１のスリット板９Ａにおける第１の貫通穴９Ａａを通過して第１の光センサ８Ａに達するようになる。同様に、第２のスリット板９Ｂにおける第１の貫通穴９Ｂａを通過して第２の光センサ８Ｂに達するようになる。
【００３０】
引き続き、図２（ｃ）に示すように、挿入口４から挿入されたビデオカセット１は、カセットトレイ６に受け入れられ、更に、カセットトレイ６と共に押し込まれると、これに連動して第１のスリット板９Ａ、第２のスリット板９Ｂがスライド移動していく。
【００３１】
続いて、図２（ｄ）に示すように、ビデオカセット１がカセットトレイ６と共に所定位置まで押し込まれると（図３のステップ＃２０）、その時点で、第１のスリット板９Ａにおける第１の貫通穴９Ａａが発光部７からの光の光路上より外れ、発光部７からの光は、第１のスリット板９Ａに遮られて第１の光センサ８Ａに達しなくなる。同様に、第２のスリット板９Ｂにおける第１の貫通穴９Ｂａが発光部７からの光の光路上より外れ、発光部７からの光は、第２のスリット板９Ｂに遮られて第２の光センサ８Ｂに達しなくなる。第１の光センサ８Ａ、第２の光センサ８Ｂは、このような発光部７からの光が達しなくなる時点で反応し、これにより、ビデオカセット１の所定位置到達時点が検知される（図３のステップ＃２５）。そして、その第１の光センサ８Ａ、第２の光センサ８Ｂの反応による出力に応じて、カセットトレイ６自身の搬送駆動が開始される（図３のステップ＃３０）。
【００３２】
その後、カセットトレイ６自身の搬送駆動により、ビデオカセット１がカセットトレイ６と共に搬送され、図２（ｅ）に示すように、ローディング位置まで搬送されると（図３のステップ＃３５）、第１のスリット板９Ａにおける第２の貫通穴９Ａｂが発光部７からの光の光路上に現れ、発光部７からの光は、その第２の貫通穴９Ａｂを通過して第１の光センサ８Ａに達する。同様に、第２のスリット板９Ｂにおける第２の貫通穴９Ｂｂが発光部７からの光の光路上に現れ、発光部７からの光は、その第２の貫通穴９Ｂｂを通過して第２の光センサ８Ｂに達する。第１の光センサ８Ａ、第２の光センサ８Ｂは、このような発光部７からの光が再び達する時点で反応し、これにより、ビデオカセット１のローディング位置到達時点が検知される（図３のステップ＃４０）。そして、その第１の光センサ８Ａ、第２の光センサ８Ｂの反応による出力に応じて、カセットトレイ６自身の搬送駆動が終了される（図３のステップ＃４５）。
【００３３】
こうして、ＶＣＲ本体内のローディング位置にビデオカセット１が装着され、磁気テープ２に対しての記録・再生が行えるようになる。
【００３４】
なお、ローディング位置での磁気テープ２の始端・終端の検知については、従来のＶＣＲと同様にして行われる。
【００３５】
このように、本実施形態のＶＣＲによれば、ビデオカセット１の所定位置到達時点の検知に用いられる発光部７には、待機時に電力が供給されず、ビデオカセット１が挿入口４に挿入されると、これをスイッチ１０が検知して電力が供給される。従って、待機時に発光部７に供給される電力が削減され、消費電力を低減できる。しかも、これは、挿入口４へのビデオカセット１の挿入、すなわち扉５の開きに反応するスイッチ１０を設けることで簡単に実現できる。
【００３６】
その他本発明は上記の実施形態に限定されず、本発明の趣旨を逸脱しない範囲で、種々の変更が可能である。例えば、スイッチ１０としては、挿入口４へのビデオカセット１の挿入に伴う扉５の開きに従って反応するものである限り、その種類に限定はない。
【産業上の利用可能性】
【００３７】
本発明は、ビデオカセットレコーダに有用である。
【図面の簡単な説明】
【００３８】
【図１】本発明の一実施形態であるＶＣＲの要部を示す透視側面図である。
【図２】図１のＶＣＲでのビデオカセットの装着動作を示す透視側面図である。
【図３】図１のＶＣＲでのビデオカセットの装着動作を示すフローチャートである。
【図４】本発明にも共通する一般的なＶＣＲの透視上面図である。
【図５】従来のＶＣＲでのビデオカセットの装着動作を示す透視側面図である。
【符号の説明】
【００３９】
１    ビデオカセット
２    磁気テープ
３    回転磁気ヘッド
４    挿入口
５    扉
６    カセットトレイ
７    発光部
８Ａ    第１の光センサ
８Ｂ    第２の光センサ
９Ａ    第１のスリット板
９Ａａ    第１のスリット板における第１の貫通穴
９Ａｂ    第１のスリット板における第２の貫通穴
９Ｂ    第２のスリット板９Ｂ
９Ｂａ    第２のスリット板における第１の貫通穴
９Ｂｂ    第２のスリット板における第２の貫通穴
１０    スイッチ
【図１】
2007265485.tif 000003
【図２】
2007265485.tif 000004
【図３】
2007265485.tif 000005
【図４】
2007265485.tif 000006
【図５】
2007265485.tif 000007